(57)【要約】【課題】  掛け布団や敷き布団を改良して、快適な生活を保障することができる布団を提供する。  【解決手段】敷き布団２、敷布団本体４の頭部先部分から移動固定布５を延設し、該移動固定布５により一端に開口６を有する袋状部分７を形成してベッド８の床板９に挿入し、敷き布団２がずれないようにする。また、掛け布団３は、掛布団本体１５の足先部分から移動固定布１６を敷き布団２の足先部分に掛け回して、敷き布団２の下側に敷くことができるよう延設する。これにより、足元の保温性を確保すると共に掛け布団３がずれないようにし、快適な生活を営むことができるようにする。【選択図】図１
2006255386.tif 000002
【特許請求の範囲】
【請求項１】
敷布団本体の頭部先部分から移動固定布が延設され、該移動固定布により一端に開口を有する袋状部分が形成されることを特徴とする敷布団。
【請求項２】
前記移動固定布の側面が敷き布団本体に止着されて、移動固定布と敷き布団本体の背面とにより袋状部分が形成され、移動固定布の端縁部分に開口が形成されることを特徴とする請求項１に記載の敷き布団。
【請求項３】
敷き布団本体内の中綿は、素材の異なる複数の中綿層が積層されてなり、前記移動固定布は、敷き布団本体の背面側に位置する背面姿勢と、該姿勢より裏返して敷き布団本体の表面側に位置する表面姿勢とに切換自在とされたことを特徴とする請求項１または２に記載の敷き布団。
【請求項４】
前記移動固定布が敷き布団本体に対して着脱可能であることを特徴とする請求項１〜３のいずれかに記載の敷き布団。
【請求項５】
掛布団本体の足先部分から移動固定布が敷き布団の足先部分に掛け回して敷き布団の下側に敷くことができるよう延設されたことを特徴とする掛け布団。
【請求項６】
前記掛け布団用の移動固定布が掛け布団本体に対して着脱可能とされたことを特徴とする請求項５に記載の掛け布団。
【請求項７】
請求項１〜４のいずれかに記載の敷き布団と請求項５または６に記載の掛布団との組み合わせからなることを特徴とする布団セット。
【発明の詳細な説明】
【技術分野】
【０００１】
本発明は、掛け布団および敷き布団並びにこれらの布団セットに関するものである。
【背景技術】
【０００２】
寝具において、その快適性を保障するには、布団がずれないことや、保温性が良いことなどが重要になってくる。特に、介護用ベッドに布団を敷設する場合、床板を起伏させる背上げ操作によって敷き布団がずれ落ちることは好ましくはない。
【０００３】
関連する技術として、特許文献１には、マットレスに重ね合わせて敷設するシート状主体の枕元側の一端に、先端をマットレスの下側に挟装するシート体を連設し、背上げ操作時にマットレスとずれが起きにくいベッドパッドが開示されている。
【０００４】
一方、掛け布団については、特に、冬期に足元の保温性を満足させることについて開示された関連する特許文献は存在していない。
【０００５】
【特許文献１】特開２００１−１９７９６６号公報
【発明の開示】
【発明が解決しようとする課題】
【０００６】
ところで、特許文献１に開示の関連技術は、ベッドパッドに関するものであって、マットレスと敷き布団とを重ね合わせて使用するときは、敷き布団上に敷設し、シート体はマットレスの下側またはマットレスと敷き布団との間に挟装することになる。
【０００７】
そのため、ベッドの背上げ操作を行った場合、ベッドパット、マットレスおよび敷き布団がベッドの床板に対してずり落ちる点は以前として解消されていないことになる。
【０００８】
本発明は、上記に鑑み、掛け布団や敷き布団を改良して、快適な生活を保障することができる布団の提供を目的としている。
【課題を解決するための手段】
【０００９】
上記目的を達成するため、まず、本発明に係る敷き布団として、敷布団本体の頭部先部分から移動固定布が延設され、該移動固定布により一端に開口を有する袋状部分が形成されることを特徴としている。
【００１０】
敷き布団から移動固定布を延設することで、敷き布団そのものを固定し、ベッドの床板からのずり落ちを防止しようとするものである。この場合、袋状部分の開口をベッド床板の頭部先端部分に被せるようにして使用する。そうすると、床板を背上げ操作しても袋状部分で床板からのずれ落ちを防止することができる。
【００１１】
袋状部分は、移動固定布そのものを袋状に形成する他、移動固定布と敷き布団本体の布地とで形成するようにしてもよい。つまり、移動固定布の側面が敷き布団本体に止着されて、移動固定布と敷き布団本体の背面とにより袋状部分が形成され、移動固定布の端縁部分に開口を形成する。
【００１２】
敷き布団本体は、袋状の布地とその内部に充填される中綿とから構成されるが、中綿は、素材の異なる複数の中綿層を積層して構成することができる。例えば、中綿層の一面側をい夏用に好適な素材とし、他面側を冬用に好適な素材とし、敷き布団をリバーシブルに使用できるようにすることもできる。なお、敷布団本体には、マットも含む概念である。
【００１３】
その場合、移動固定布は、敷き布団本体の背面側に位置する背面姿勢と、該姿勢より裏返して敷き布団本体の表面側に位置する表面姿勢とに切換自在とする。これにより、敷き布団のうち、ベッドの床板に接する側に移動固定布を配置して袋状部分を備えることができ、表裏いずれを使用したとしても、敷き布団のずれ落ちを防止することができる。
【００１４】
この移動固定布は、敷き布団本体の頭先部分に縫製などにより一体的に連設する態様、あるいは留めボタン等により着脱自在に連設する態様のいずれであってもよい。一体的に連設する場合は移動固定布の紛失の心配はなく、また、着脱自在な場合は洗濯等に便利である。
【００１５】
なお、一体的に連設する態様としては、縫製のほか、ホットメルトなどによる接着・圧着方式等を例示することができる。着脱態様としては、留めボタン、スライドファスナー、面状ファスナー、ゴムバンド、クリップ等の態様を例示することができる。
【００１６】
また、移動固定布の連設側端部の態様は上記のように２通りの態様を採用することができるが、移動固定布と敷き布団本体との袋状部分を形成する場合、移動固定布の側面部分を敷き布団本体に縫製などにより一体化する態様、あるいは留めボタンなどにより着脱自在な態様のいずれを採用してもよい。
【００１７】
一方、掛け布団については、掛布団本体の足先部分から移動固定布が敷き布団の足先部分に掛け回して敷き布団の下側に敷くことができるよう延設することができる。
【００１８】
上記構成においては、移動固定布を敷き布団の足先部分に掛け回して敷き布団の下側に敷くと、掛け布団のずれが生じにくくなる。そして、少なくとも足先部分が移動固定布により外気と遮断され、足元の保温性を高め、頭寒足熱を実現することができる。
【００１９】
掛け布団用の移動固定布は、敷き布団用の移動固定布と同様に、掛け布団本体の足元部分に縫製などにより連設する態様、あるいは同じく足元部分に留めボタンなどにより着脱自在に連設する態様のいずれであってもよい。
【００２０】
そして、上述した敷き布団と掛布団とを組み合わせると、敷き布団および掛け布団のいずれも移動固定布によってずれないようになり、快適な生活を営む上で良好な布団セットを提供することができる。
【発明の効果】
【００２１】
以上のとおり、本発明によると、敷き布団として、敷布団本体の頭部先部分から移動固定布を延設し、該移動固定布により一端に開口を有する袋状部分を形成してベッドの床板に挿入して敷き布団をずれないようにし、また、掛け布団として、掛布団本体の足先部分から移動固定布を敷き布団の足先部分に掛け回して敷き布団の下側に敷くことができるよう延設することで、足元の保温性と掛け布団のずれを防止するようにしているので、快適な生活を営むことができる。
【発明を実施するための最良の形態】
【００２２】
以下、本発明の実施形態を図面に基づいて説明する。
【００２３】
［第１の実施形態］
図１は本発明に係る布団セットを敷設したベッドの断面図であって、（ａ）は床板を伏した就寝状態図、（ｂ）は床板を起こした背上げ状態図である。また、図２は縫い留め型の移動固定布を備えた敷き布団の断面図であって、（ａ）は夏用敷設状態図、（ｂ）は冬用敷設状態図、図３は敷き布団用の移動固定布の表裏切換手順を示す斜視図、図４は敷き布団のベッドの床板挿入状態を示す斜視図であって、（ａ）は表側から見た図、（ｂ）は裏側から見た図である。
【００２４】
本発明に係る布団１は、敷き布団２と掛け布団３とから構成される。
【００２５】
敷き布団２は、敷き布団本体４と、その頭部先部分から延設された移動固定布５とから構成され、移動固定布５により一端に開口６を有する袋状部分７が形成され、この袋状部分７に、その開口６からベッド８の床板９の頭部部分を挿入できるようになっている。
【００２６】
敷き布団本体４は、袋状の布地４ａとその内部の中綿１０とから構成される。中綿１０は、素材の異なる複数の中綿層１０ａ，１０ｂ，１０ｃを積層して構成される。表層１０ａは、例えば、吸水性ポリエステルからなる夏用素材層とされ、背面層１０ｃはウール混からなる冬用素材層とされる。また、中間層１０ｂはウレタン等の芯材とされる。表裏の布地４ａは、使用時期に応じて、表層側と背面層側とで色分けあるいは模様で識別できるようにするか、あるいは布地素材を変えて形成することができる。
【００２７】
移動固定布５は、敷き布団本体４の布地４ａと同素材から構成され、一枚の布地、あるいは複数枚を重ねて形成することもでき、中綿などを挿入してキルティングとしてもよい。移動固定布５の幅は敷き布団本体４と同じか、わずかに大きく形成する。移動固定布５の長さは、敷き布団本体の長さの１/４〜１/５程度の長さとし、ベッド８の床板９から外れないようにする。
【００２８】
袋状部分７は、移動固定布５と敷き布団本体４の布地４ａとで形成する。つまり、移動固定布５の側面が敷き布団本体４に縫い留め止着されて、移動固定布５と敷き布団本体４の背面とにより袋状部分７が形成され、移動固定布５の端縁部分に開口６が形成される。
【００２９】
また、移動固定布５は、敷き布団本体４の頭先部分に縫製などにより連設され、また、側面部分も敷き布団本体４の側部に縫製されて一体化される。そして、移動固定布５は、敷き布団２を表側と裏側の両面をリバーシブルで使用する際に、ベッド８の床板９に挿入できるように、敷き布団本体４の背面側に位置する背面姿勢と、該姿勢より裏返して敷き布団本体４の表面側に位置する表面姿勢とに切換自在とされる。図３は移動固定布の表裏切換手順を示す図で、分かり易くするために、墨付き部分を背面側、白色部分を表面側として示す。移動固定布５は、その素材が柔らかく、また、敷き布団本体４も柔軟性があるため、移動固定布５を簡単に裏返すことができる。
【００３０】
これにより、敷き布団のうち、ベッドの床板に接する側に移動固定布を配置して袋状部分を備えることができ、表裏いずれを使用したとしても、敷き布団のずれ落ちを防止することができる。
【００３１】
このように、移動固定布５の袋状部分７の開口６をベッド床板９の頭部先端部分に被せるようにして使用すれば、床板９を背上げ操作しても袋状部分７で床板９からの敷き布団２がずれ落ちるのを防止することができる。
【００３２】
図５は縫い留め型の移動固定布を備えた掛け布団を敷き布団に掛け回した状態を示す断面図、図６は掛け布団の平面図である。図に示すように、掛け布団３は、掛け布団本体１５とその足先部分から延設された移動固定布１６とから構成され、敷き布団２の足先部分に掛け回して、敷き布団２の下側に敷くことができるようになっている。
【００３３】
掛け布団本体１５は、袋状の布地とその内部の中綿とから構成される。移動固定布１６は、掛け布団本体１５の布地と同様な素材から構成され、一枚の布地、あるいは複数枚を重ねて形成することもでき、中綿などを挿入してキルティングとしてもよい。なお、中綿の素材としては、綿、羽毛、ポリエステル、ウール混等が挙げられるが、これに限定されるものではない。
【００３４】
移動固定布１６の幅は敷き布団本体４と同じ程度に形成し、長さは敷き布団本体の長さの１/４〜１/５程度の長さとし、敷き布団２に掛け回したときに敷き布団２から外れないようにしている。そして、移動固定布１６は、掛け布団本体１５の足先部分に縫製などにより一体的に連設されている。
【００３５】
上記の掛け布団３において、移動固定布１６を敷き布団２の足先部分に掛け回して敷き布団２の下側に挿入しておく。そうすると、就寝時に、敷き布団２の重みと就寝者の体重によって掛け回した移動固定布１６が敷き布団２より外れることはない。そのため、足先部分が移動固定布１６により外気と遮断され、足元の保温性を高め、頭寒足熱を実現することができる。
【００３６】
［第２の実施形態］
次に、本発明の第２の実施形態について説明する。上記第１の実施形態では、敷き布団用の移動固定布５および掛け布団用の移動固定布１６のいずれも縫製などにより、夫々の本体に一体化した例を示したが、本実施形態では、これら移動固定布５、１６を着脱式にしたものである。
【００３７】
図７は着脱式移動固定布を備えた敷き布団の斜視図であって、（ａ）は表側から見た図、（ｂ）は背面側から見た図である。図に示すように、敷き布団本体４の頭部分の３辺にはボタン受け１７が設けられ、このボタン受け１７に着脱自在なボタン１８が移動固定布５の３辺に設けられ、ボタン１８をボタン受け１７に押圧して止着することで３辺が綴じ、内側の１辺が開放して開口６となる袋状部分７が形成される。
【００３８】
図８は着脱式移動固定布を備えた敷き布団の断面図であって、（ａ）は夏用敷設状態図、（ｂ）は冬用敷設状態図である。図７に示す状態で、移動固定布５を止着した状態で、図３に示すように移動固定布５を裏返し、敷き布団本体の背面側に位置する背面姿勢と、該姿勢より裏返して敷き布団本体の表面側に位置する表面姿勢とに切換えることができる。また、移動固定布５は敷き布団本体４から取り外して表面側からボタン留めすることにより、背面姿勢と表面姿勢に切換えることができる。ボタン留めの場合、例えば、敷き布団本体４の縁部分に設けられたボタン受け１７は表裏から止着可能な公知構造のものを採用するのが好ましい。
【００３９】
図９は着脱式移動固定布を備えた掛け布団の敷き布団掛け回し状態を示す断面図、図１０は掛け布団の平面図である。図に示すように、掛け布団３は、掛け布団本体１５とその足先部分から延設された移動固定布１６とから構成され、敷き布団２の足先部分に掛け回して敷き布団２の下側に敷くことができるようになったものであるが、移動固定布１６の掛け布団本体１５との連接部にはボタン受け１７が設けられ、これに対応して移動固定布１６に一辺にボタン１８が配列され、両者が着脱自在な構成となっている。
【００４０】
図１１はボタン構造の一例を示す断面図であって、中段のボタン受け１７は例えば掛け布団本体１５とされ、その表裏を貫通するように第１のボタン受け１７ａと第２のボタン受け１７ｂとを連結ピン１７ｃで連結し、夫々の凹部に異なる種類のボタン１８ａ、１８ｂの凸部を弾性的に止着したものである。いずれも公知な構造であるため、図示に止め、詳細は省略するが、例えば、ボタン受け１７を備えた掛け布団３に対して複数枚の補充布団を重ね合わせたり、あるいは掛け布団カバーのボタンを止着したりする際に、このボタンを使用すれば、止着物同士がずれたりするのを防止することができる。
【００４１】
図１２は敷き布団カバーのベッド床板装着状態を示す側面図、図１３は敷き布団カバーの背面側から見た斜視図、図１４は敷き布団カバーの差渡し片の留め状態を示す斜視図である。この敷き布団カバーは、上記第１の実施形態に示す縫い留め型敷き布団および第２の実施形態に示す着脱式の敷き布団のいずれの敷き布団カバーとしても使用することができる。
【００４２】
この敷き布団カバー２０は、シート状のカバー本体２０ａの一側背面に、移動固定布５によって形成した敷き布団２の袋状部分７の外側を覆い、開口６を閉じることなく固定布カバー部２１が形成され、かつカバー本体２０ａの残り３辺から背面側に向かって延設された側辺カバー部２０ｂのうち、対向する２辺の側辺カバー間に２本の差渡し片２２が設けられ、該差渡し片２２の先端部分に、２段階の幅調整用ボタン構造２３が設けられ、挿入する敷き布団２の幅に合わせて、側片カバー間の幅を２段階で調整できるようになっている。
【００４３】
ボタン構造２３は、２段階に配列されたボタン２３ａと、側辺カバー側に形成されたボタン受け２３ｂとからなる公知構造のものであるので、詳細は省略する。
【００４４】
図１５は掛け布団カバーの平面図である。図に示すように、掛け布団カバー２５は、その足先部分の辺に移動固定布１６を露出させるための開穴部分２６（移動固定布取出し口）が形成される。この開穴部分２６は、掛け布団３を掛け布団カバー２５内に挿入する穴としても機能させることができる。また、掛け布団カバー２５には、掛け布団３とのずれを防止するための留めボタン２７が複数箇所に設けられ、掛け布団３に設けられたボタンと係合するようになっている。
【産業上の利用可能性】
【００４５】
以上のとおり、本発明は、移動固定布を設け、敷き布団および掛け布団のずれを防止するようにしているので、一般用の布団のみならず、介護用の布団に最適である。
【図面の簡単な説明】
【００４６】
【図１】本発明に係る布団セットを敷設したベッドの断面図であって、（ａ）は床板を伏した就寝状態図、（ｂ）は床板を起こした背上げ状態図
【図２】第１の実施形態である縫い留め型の移動固定布を備えた敷き布団の断面図であって、（ａ）は夏用敷設状態図、（ｂ）は冬用敷設状態図
【図３】敷き布団の移動固定布の表裏切換手順を示す斜視図
【図４】敷き布団のベッドの床板挿入状態を示す斜視図であって、（ａ）は表側から見た図、（ｂ）は裏側から見た図
【図５】第１の実施形態における縫い留め型の移動固定布を備えた掛け布団の敷き布団掛け回し状態を示す断面図
【図６】掛け布団の平面図
【図７】第２の実施形態であるボタン留め型の移動固定布を備えた敷き布団の斜視図であって、（ａ）は表側から見た図、（ｂ）は背面側から見た図
【図８】ボタン留め型の移動固定布を備えた敷き布団の断面図であって、（ａ）は夏用敷設状態図、（ｂ）は冬用敷設状態図
【図９】第２の実施形態におけるボタン留め型の移動固定布を備えた掛け布団の敷き布団掛け回し状態を示す断面図
【図１０】掛け布団の平面図
【図１１】留めボタンの断面図
【図１２】敷き布団カバーのベッド床板装着状態を示す側面図
【図１３】敷き布団カバーの背面側から見た斜視図
【図１４】敷き布団カバーの差渡し片の留め状態を示す斜視図
【図１５】掛け布団カバーの平面図
【符号の説明】
【００４７】
１    布団
２    敷き布団
３    掛け布団
４    敷き布団本体
５    移動固定布
６    開口
７    袋状部分
８    ベッド
９     床板
１０    中綿
１５    掛け布団本体
１６    移動固定布
１７    ボタン受け
１８    ボタン
【図１】
2006255386.tif 000003
【図２】
2006255386.tif 000004
【図３】
2006255386.tif 000005
【図４】
2006255386.tif 000006
【図５】
2006255386.tif 000007
【図６】
2006255386.tif 000008
【図７】
2006255386.tif 000009
【図８】
2006255386.tif 000010
【図９】
2006255386.tif 000011
【図１０】
2006255386.tif 000012
【図１１】
2006255386.tif 000013
【図１２】
2006255386.tif 000014
【図１３】
2006255386.tif 000015
【図１４】
2006255386.tif 000016
【図１５】
2006255386.tif 000017